(57)【要約】  手持型製品のためのドックは、ドッキングユニット及びベースを備え、ドッキングユニット及びベースは、分離可能であり、第１構成において、ドッキングユニットは、ベースユニットに直接接続され、第２構成において、ドッキングユニットは、本体に接続され、本体は、ベースに接続されている。
2021514766.tif 000002
【特許請求の範囲】
【請求項１】
手持型製品のためのドックであって、
ドッキングユニット及びベースを備え、
前記ドッキングユニット及び前記ベースが、分離可能であり、
第１構成において、前記ドッキングユニットが、前記ベースに直接接続され、
第２構成において、前記ドッキングユニットが、本体に接続され、前記本体が、前記ベースに接続されることを特徴とするドック。
【請求項２】
前記本体が、ドッキングされた前記手持型製品のための付属品を保持するための取り外し可能なケースを備えることを特徴とする請求項１に記載のドック。
【請求項３】
前記ドッキングユニットが、ドッキングされた前記手持型製品に電力供給を提供するための電気コネクタを備える請求項１または２に記載のドック。
【請求項４】
前記電力供給が、ドッキングされた前記手持型製品のバッテリパックを充電することを特徴とする請求項３に記載のドック。
【請求項５】
前記ドッキングユニット及び本体のうちの少なくとも一方が、ドッキングされた前記手持型製品のための付属品を取り付け可能であるコネクタを備えることを特徴とする請求項１から４のいずれか１項に記載のドック。
【請求項６】
当該ドックが、スティック型真空掃除機のためのものであり、
前記スティック型真空掃除機が、手持型真空掃除機、ワンド及び掃除機ヘッドを備え、
前記ドッキングユニットが、いったん前記手持型真空掃除機を前記ワンド及び前記掃除機ヘッドから分離すると、前記手持型真空掃除機を受けることを特徴とする請求項１から５のいずれか１項に記載のドック。
【請求項７】
当該ドックが、前記ワンドを固定するためのクリップを備えることを特徴とする請求項６に記載のドック。
【請求項８】
前記ベース及び前記ドッキングユニットのうちの一方が、キャッチを備え、
前記ベース及び前記ドッキングユニットのうちの他方が、キャッチ係合形状部を備え、
当該ドックを前記第１構成に組み立てると、前記キャッチが、前記キャッチ係合形状部と解放可能に係合し、前記ベース及び前記ドッキングユニットの分離を防止することを特徴とする請求項１から７のいずれか１項に記載のドック。
【請求項９】
前記本体が、一の端部にあるキャッチと、他の端部にあるキャッチ係合形状部と、を備え、それにより、前記ベース及び前記ドッキングユニット双方が、当該ドックを前記第２構成に組み立てると、前記本体の前記端部それぞれに解放可能に装着可能であることを特徴とする請求項８に記載のドック。
【請求項１０】
前記ベース及び前記ドッキングユニットのうちの一方が、リップを有する突起を備え、
前記ベース及び前記ドッキングユニットのうちの他方が、肩部を有するスロットを備え、
前記第１構成において前記ベースを前記ドッキングユニットに装着することが、前記突起を前記スロット内に挿入し、前記リップが前記肩部と係合するまで前記ベースを前記ドッキングユニットに対して移動させることを備え、前記ベース及び前記ドッキングユニットの分離を防止することを特徴とする請求項１から９のいずれか１項に記載のドック。
【請求項１１】
前記本体が、一の端部にあるリップを有する突起と、他の端部にある肩部を有するスロットと、を備え、それにより、前記ベース及び前記ドッキングユニット双方が、当該ドックを前記第２構成で組み立てると、前記本体の前記端部それぞれに解放可能に装着可能であることを特徴とする請求項１０に記載のドック。
【請求項１２】
前記ドッキングユニットが、前記手持型製品をスライド可能に受けることが可能なスロットを備えることを特徴とする請求項１から１１のいずれか１項に記載のドック。
【請求項１３】
前記ドッキングユニットが、製品クランプを備え、
前記製品クランプが、ドッキングされた前記手持型製品を当該ドック内に保持するラッチ位置と、ドッキングされた前記手持型製品を当該ドックから取り外し可能であるラッチ解除位置と、の間でスライド可能であることを特徴とする請求項１から１１のいずれか１項に記載のドック。
【請求項１４】
前記製品クランプが、前記ラッチ解除位置へ付勢されていることを特徴とする請求項１３に記載のドック。
【請求項１５】
前記製品クランプが、当該製品クランプの頂面に押下して解放することによって前記ラッチ位置から解放され、当該製品クランプの前記頂面に押下して当該製品クランプを前記ラッチ位置内へスライドさせることによって前記ラッチ位置へ移動されることを特徴とする請求項１３または１４に記載のドック。
【発明の詳細な説明】
【技術分野】
【０００１】
本発明は、手持型製品のためのドックに、特に手持型製品のためのモジュール式ドックに関する。
【背景技術】
【０００２】
真空掃除機のような手持型製品には、しばしば、格納ドックが設けられている。格納ドックが製品を使用していない間に製品のバッテリパックを充電する充電ドックとして機能し得るので、バッテリ駆動式手持型製品の場合には特にそうである。
【０００３】
格納ドックのための共通フォーマットは、ダイソンのＶ８（登録商標）コードレス真空掃除機に設けられたドックのような壁面装着型ドックである。壁面装着型ドックは、ドリル穴をあけ、その後、ネジ及び壁プラグを用いてドックを壁に装着することによって壁に固定されている。しかしながら、ドックを装着するために、ユーザの家の壁にドリル穴をあけることは、しばしば、ユーザにとって便利でないまたは可能ではない。
【０００４】
特許文献１に示すドックのような自立型ドックは、公知である。
【先行技術文献】
【特許文献】
【０００５】
【特許文献１】特開２０１６−０３９８６０号公報
【発明の概要】
【発明が解決しようとする課題】
【０００６】
しかしながら、これらドックは、理想的には、比較的大型で容易にアクセス可能な領域に位置付けられる必要があり、したがって、家の中でこれらドックが位置し得る場所に関してユーザにあまり順応性をもたらさない。
【課題を解決するための手段】
【０００７】
本発明の第１態様は、手持型製品のためのドックを提供し、このドックは、ドッキングユニット及びベースを備え、ドッキングユニット及びベースは、分離可能であり、第１構成において、ドッキングユニットは、ベースユニットに直接接続され、第２構成において、ドッキングユニットは、本体に接続され、本体は、ベースに接続されている。
【０００８】
その結果、ドックは、第１または第２構成で組み立てられ得、第１構成は、第２構成よりも十分に小さく、ドックを位置付け得る場所のより大きな順応性を可能とする。例えば、ドックは、第１構成で組み立てられると、テーブルまたはカウンタートップ上に位置付けられ得、第２構成で組み立てられると、ドックを床上に自立させるためにより便利にすることを可能とする。
【０００９】
本体は、ドッキングした製品のための付属品を保持するための取り外し可能なケースを備え得る。その結果、本体を含有することによって第２構成にあるドックに加えられた追加の空間は、手持型製品のためのツール及び付属品のための格納を提供することによって、ユーザに対して効率的なかつ有利な使用を付与する。
【００１０】
ドッキングユニットは、電力供給をドッキングされた手持型製品に提供するための電気コネクタを備え得る。電力供給は、ドッキングされた手持型製品のバッテリパックを充電し得る。したがって、ドックは、手持型製品が使用されておらずかつドックに格納されている間に手持型製品のバッテリパックを便利に充電する充電ドックとしても機能し得る。
【００１１】
ドッキングユニット及び本体のうちの少なくとも一方は、ドッキングした手持型製品のための付属品を取り付け得るコネクタを備え得る。これにより、ドッキングした製品のための付属品に対してよりアクセス可能であるより便利な格納を提供する。
【００１２】
ドックは、スティック型真空掃除機のためのものであり得、スティック型真空掃除機は、手持型真空掃除機、ワンド及び掃除機ヘッドを備え、ドッキングユニットは、いったん手持型真空掃除機をワンド及び掃除機ヘッドから分離すると、手持型真空掃除機を受け得る。真空掃除機をドッキングし得る前にワンド及び掃除機ヘッドを手持型真空掃除機から取り外す必要があることにより、ドックの全寸法を最小のままとすることを補助する。ドックの高さは、同様に低いままであり得、ドックをより安定にし、誤って転倒させる可能性を低くする。
【００１３】
ドックは、ワンドを固定するためのクリップを備え得る。これにより、手持型部品をドッキングしている間に真空掃除機のワンドのための便利な格納を提供する。
【００１４】
ベース及びドッキングユニットのうちの一方は、キャッチを備え得、ベース及びドッキングユニットのうちの他方は、キャッチ係合形状部を備え得、ドックを第１構成で組み立てると、キャッチは、キャッチ係合形状部と解放可能に係合し得、ベースとドッキングユニットとの分離を防止する。その結果、ユーザは、必要に応じて、迅速にかつ容易に異なる構成にあるドックを解体して再度組み立てることができる。
【００１５】
本体は、一端部にあるキャッチと、他端部にあるキャッチ係合形状部と、を備え得、それにより、ベース及びドッキングユニット双方は、ドックを第２構成で組み立てると、本体の端部それぞれに解放可能に装着され得る。その結果、ドッキングユニットをベースに装着するための同じ機構を使用してドッキングユニットを本体にそして本体をベースに装着し得る。
【００１６】
ベース及びドッキングユニットのうちの一方は、リップを有する突起を備え得、ベース及びドッキングユニットのうちの他方は、肩部を有するスロットを備え得、第１構成においてベースをドッキングユニットに装着することは、フランジ付き突起をスロット内に挿入すること、及び、リップが肩部と係合するまで、ベースをドッキングユニットに対して移動させること、を備え得、ベース及びドッキングユニットの分離を防止する。その結果、別のまたはさらなる機構を設け、必要に応じて、ユーザが迅速にかつ容易に異なる構成にあるドックを解体して再度組み立てることをできるようにする。
【００１７】
本体は、一端部にあるリップを有する突起と、他端部にある肩部を有するスロットと、を備え得、それにより、ベース及びドッキングユニット双方は、ドックを第２構成に組み立てると、本体の端部それぞれに解放可能に装着され得る。その結果、ドッキングユニットをベースに装着するための同じ機構を使用して、ドッキングユニットを本体にそして本体をベースに装着し得る。
【００１８】
ドッキングユニットは、手持型製品をスライド可能に受け得るスロットを備え得る。その結果、手持型製品は、ドッキングユニット内に迅速かつ容易にドッキングされ得る。
【００１９】
ドッキングユニットは、製品クランプを備え得、製品クランプは、ドッキングした手持型製品をドック内で保持するラッチ位置と、ドッキングした手持型製品をドックから取り外し得るラッチ解除位置と、の間でスライド可能である。その結果、手持型製品は、手持型製品がドッキングされている間、ドック内でしっかりと保持され得る、正確なドック位置は、保証され得る。
【００２０】
製品クランプは、ラッチ解除位置内へ付勢され得る。その結果、製品クランプは、ドッキングした製品からより容易に解放され得、より容易なドッキング解除手順を可能とする。さらに、製品クランプは、手持型製品をクランプすることを可能とするために、正確な位置へより容易に移動され得、これは、片手のみを必要とする。
【００２１】
製品クランプは、製品クランプの頂面を押下して解放することによって、ラッチ位置から解放され得、製品クランプの頂面を押下して製品クランプをラッチ位置へスライドさせることによって、ラッチ位置へ移動され得る。その結果、プッシュプッシュクランプ機構は、容易なドッキング及びドッキング解除手順を可能とする。
【００２２】
本発明をより迅速に理解し得るために、以下の添付の図面を参照しながら、例として、本発明の実施形態を説明する。
【図面の簡単な説明】
【００２３】
【図１】真空掃除機のためのドックの別個の部品を示す図である。
【図２】第１構成にある真空掃除機のためのドックを示す図である。
【図３】第２構成にある真空掃除機のためのドックを示す図である。
【図４】図１から図３に示すドックのベースを示す底面図である。
【図５】取り外し可能な付属ケースを有するドックを示す図である。
【図６Ａ】真空掃除機を図３のドックにドッキングするためのドッキング手順を示す図である。
【図６Ｂ】真空掃除機を図３のドックにドッキングするためのドッキング手順を示す図である。
【図６Ｃ】図３のドックにドッキングされた真空掃除機を示す図である。
【図６Ｄ】図２のドックにドッキングされた真空掃除機を示す図である。
【図７Ａ】真空掃除機を別の実施形態にかかるドックにドッキングするためのドッキング手順を示す図である。
【図７Ｂ】第１構成にあるドックにドッキングされた真空掃除機を示す図である。
【図７Ｃ】第２構成にあるドックにドッキングされた真空掃除機を示す図である。
【発明を実施するための形態】
【００２４】
図１は、分離可能な部品でドック１を示す。ドック１は、ドッキングユニット２と、本体３と、ベース４と、を備える。ドッキングユニット２は、符号Ａでラベル付けされた実線矢印で示すように、ベース４に直接取り付けられ得、ドック１を第１構成１Ａで組み立てる。第１構成１Ａで組み立てられたドック１は、図２に示されており、ドック１が例えばテーブルトップまたはカウンタートップ上に位置する場合に、適し得る。一点鎖線矢印Ｂ及びＣで示すように、ドッキングユニット２は、同様に、本体３に取り付けられ得、本体３は、ベース４に取り付けられ得、ドック１を第２構成１Ｂで組み立てる。第２構成１Ｂで組み立てられたドック１は、図３に示されており、ドック１が床上に自立している場合に、適し得る。第２構成１Ｂにおいて、ドッキングユニットは、より高く位置付けられており、そのため、ドック１を床レベルに位置付けると、製品をドッキングする及びドッキング解除するのにより快適にアクセス可能である。
【００２５】
ドッキングユニット２は、支持体２１、柱体２３及び製品クランプ２５を備える。支持体２１は、製品をドッキングユニット２にドッキングしたときに製品を支持し得る表面を形成する。柱体２３は、ドッキングした製品を所定位置で保持するように機能する製品クランプ２５を支持する。製品をドック１にドッキングするための手順を後述する。複数の取付コネクタ２７は、柱体２３の側部に取り付けて設けられている。これら取付コネクタ２７は、ドッキングされた意図した製品のための付属品をドック１自体に便利に格納することを可能とする。電気コネクタ２９は、製品クランプ２５に設けられている。したがって、電気コネクタ２９は、ドッキングした製品に対する電源を形成する。よって、手持型真空掃除機のようなバッテリ駆動式製品の場合において、ドックは、充電ドックとして機能し、バッテリパックは、製品をドック１にドッキングしている間に充電され得る。
【００２６】
本体３は、取り外し可能なケース３３を収容する外側筐体３１を備える。取り外し可能なケース３３は、ドッキングされた製品のためのさらなるツール及び付属品をドック１自体に便利に格納し得る。例えば、真空掃除機に関して、取り外し可能なケース３３は、アダプタ、隙間ノズル、マットレス清掃ツール及びホースコネクタのようなツールを入れ得る。本体には、同様に、取付コネクタ３５が設けられている。取付コネクタ３５は、ドッキングユニット２にある取付コネクタ２７と同様であり得るが、図示した実施形態において、取付コネクタ３５は、若干異なり、掃除機ヘッドのような大型の付属品をドック１に格納することを可能とする。本体３には、同様に、真空掃除機のワンドを固定するためのクリップ３７が設けられている。
【００２７】
ダイソンＶ８（登録商標）コードレス真空掃除機のようなスティック型真空掃除機は、しばしば、手持型真空掃除機に取り付けられた掃除機ヘッド及びワンドで形成されている。したがって、このタイプの真空掃除機をドック１にドッキングする際、手持型部品は、ワンド及び掃除機ヘッドから分離され得、ドッキングユニット２にドッキングされ得る。そして、ワンド及び掃除機ヘッドは、ワンドをクリップ３７に固定することによってドックに格納され得る。
【００２８】
ベース４は、これら本体及びドッキングユニットをベース４に装着すると、本体３及び／またはドッキングユニット２に安定性を提供する。
【００２９】
ドック１の別個の部品を一緒に取り付け得る手段を図１に示す。ベース４の上面及び本体３の外側筐体３１の上端部双方は、肩部５４をそれぞれ有する複数のスロット５２を備える。ドッキングユニット２の下面及び本体３の底端部において、それぞれがリップ５６を備える対応する突起である。ドック１を組み立てている間、ドッキングユニット２及びベース４を一緒にする際、または、ドッキングユニット２及び本体３をくっ付けそして本体３及びベース４をくっ付ける際、突起は、対応するスロット５２内に挿入される。そして、別個の部品は、互いに対してスライドされ、リップ５６が対応する肩部５４と係合するまで、突起がスロット５２内をスライドすることを可能とする。これにより、リップ５６がもはや肩部５４に係合しないまで２つの部品が逆方向で再びスライドされるまで、２つの部品の分離を防止する。
【００３０】
ベース４の上面及び本体３の外側筐体３１の上端部双方は、同様に、キャッチ５０を備える。このキャッチ５０は、部品を一緒に係合させると、ドッキングユニット２の下面及び本体３の底端部にある形成部（図示略）と係合し、リップ５６が肩部５４から係合解除する相対移動を防止する。キャッチ５０を形成部から係合解除すると、キャッチ５０を解放し、部品が互いに対して再び移動することを可能とする。キャッチ５０を係合解除することは、キャッチ５０の下面にあるキャッチボタンを押すことによって、なされる。本体３にあるボタンは、図面に示されていないが、取り外し可能なケース３３を取り外すと、外側筐体３１の内側にみられ得る。図４は、ベース４の下面を示しており、ベース４のためのキャッチボタンが見える。
【００３１】
図５は、第２構成１Ｂにあるドック１を示しており、取り外し可能なケースを取り外している。取り外し可能なケース３３は、矢印Ｄで示すように、ケースを外側筐体３１の内側に形成されたキャビティ３９内にスライドさせることによって、挿入される。取り外し可能なケース３３は、ケース本体３３１と、ケース本体３３１にヒンジ取付されたケース蓋体３３３と、を備える。取り外し可能なケース３３の内側にある挿入体は、複数の形状付穴部３３５を備えており、真空掃除機のためのツール及び付属品は、これら形状付穴部内に嵌る。形状付穴部３３５は、本体３内にあるキャビティ３９の内側に挿入されかつ格納されると、取り外し可能なケース３３が転倒してもツールが整頓されたままとすることを補助する。ケース蓋体３３３は、透明であり、どのツール及び付属品がケース内に格納されているかユーザがより容易に特定することを補助し得る。
【００３２】
図６Ａ及び図６Ｂは、手持型真空掃除機６０をドック１にドッキングする手順を示す。第１に、ユーザは、矢印Ｅで示すように、製品クランプ２５の頂部を押下しなければならない。これにより、柱体２３の内側にあるキャッチ機構を解放する。そして、製品クランプ２５は、柱体に対してスライド自在であり、支持体２１から離間する方向で付勢されている。したがって、製品クランプ２５は、矢印Ｆの方向で上方に移動する。そして、これにより、矢印Ｇで示すように、手持型真空掃除機６０のための支持体２１に位置付けられる十分な空間を形成する。いったん真空掃除機６０を支持体２１に位置付けると、その後、ユーザは、製品クランプの頂部をもう一度押下し、柱体の内側にあるキャッチ機構がもう一度係合するまで矢印Ｈの方向で下方に頂部を押して付勢力に抗して押し、製品クランプ２５を所定位置で保持する。そして、真空掃除機６０は、製品クランプ２５と支持体２１との間でクランプされる。電気コネクタ２９は、真空掃除機のハンドルにあるソケットと係合し、真空掃除機のバッテリパックを充電することを可能とする。ドックが第１構成、すなわちテーブルトップ構成にある場合にも、全く同じ手順を実行する。
【００３３】
図６Ｃは、手持型真空掃除機が第２構成１Ｂにあるときにドック１にドッキングされた手持型真空掃除機６０を示す。図６Ｄは、真空掃除機が第１構成、テーブルトップ構成にあるときにドック１にドッキングされた真空掃除機６０を示す。
【００３４】
別の実施形態にかかるドック７０を図７Ａ、７Ｂ及び７Ｃに示す。ドックは、上述と同じモジュール式コンセプトを有し、本体３及びベース４は、上記実施形態で上述したものと同じである。また、ドック７０の分離可能な部品は、上述と同じ方法で組み立てられる。しかしながら、ドッキングユニット７２は、上述したドッキングユニット２とは異なる。製品クランプがないが、その替わりに、ドッキングユニット７２は、柱体７３の上端部に形成されたドッキングスロット７４を有する。複数の取付コネクタ７７は、柱体７３の側部に取り付けて設けられている。これら取付コネクタ７７は、ドック７０自体にドッキングされた目的の製品のための付属品を便利に格納することを可能とする。したがって、電気コネクタ７９は、ドッキングされた製品への電力供給を提供する。手持型真空掃除機のようなバッテリ駆動式製品の場合において、ドックは、充電ドックとして機能し得、製品のバッテリパックは、製品がドック７０内にドッキングされている間に充電され得る。
【００３５】
図７Ａは、手持型真空掃除機８０をドック７０にドッキングするための手順を示す。真空掃除機８０は、矢印Ｊの方向でドック７０上に位置付けられてドック上に降下され、それにより、バッテリパック８２は、ドッキングスロット７４内にスライド可能に係合する。真空掃除機８０の端部は、支持体７１で支持され得る、あるいは、ドッキングスロット７４の壁部が真空掃除機８０の重量を支えるのに十分強い場合に、真空掃除機は、支持体の上方に吊下げ保持され得る。バッテリパック８２がドッキングスロット７４内に完全に係合されると、電気コネクタ７９は、バッテリパック８２の端部にあるソケットと係合し、真空掃除機のバッテリパックを充電することを可能とする。
【００３６】
図７Ｂは、手持型真空掃除機が第１構成７０Ａ、「テーブルトップ構成」にあるときにドック７０にドッキングした手持型真空掃除機８０を示す。図７Ｃは、手持型真空掃除機が第２構成７０Ｂ、「床上自立構成」にあるときにドック７０にドッキングした手持型真空掃除機８０を示す。
【００３７】
このため、特有の実施形態をさらに説明した一方で、理解することは、特許請求の範囲によって規定されるように、発明の範囲から逸脱することなく、様々な改変をなし得ること、である。
【００３８】
例えば、本明細書で説明した実施形態は、真空掃除機のためのドックを示す。しかしながら、想定されることは、ドックが、異なる手持型製品のためのものであり得ること、である。さらに、ベース及び本体の外側筐体の上端部は、肩部を有するスロットを備えるものとして説明されている一方で、ドッキングユニットの下面及び本体の底端部は、リップを有する対応する突起を備えるものとして説明された。しかしながら、想定されることは、これら機構部が、ベース及び本体の外側筐体の上端部がリップを有する突起を有しかつドッキングユニットの下面及び本体の底端部が肩部を有するスロットを有するように、入れ替えられ得ること、である。または、必要に応じて、分離可能な部品の分離を防止するための別の機構を使用し得る。
【符号の説明】
【００３９】
１  ドック、１Ａ  第１構成、１Ｂ  第２構成、２  ドッキングユニット、３  本体、４  ベース、２５  製品クランプ、２７  取付コネクタ、２９  電気コネクタ、３３  ケース、３５  取付コネクタ、３７  クリップ、５０  キャッチ、５２  スロット、５４  肩部、５６  リップ、６０  手持型真空掃除機、７０  ドック、７０Ａ  第１構成、７０Ｂ  第２構成、７２  ドッキングユニット、７７  取付コネクタ、７９  電気コネクタ、８０  手持型真空掃除機、８２  バッテリパック
【図１】
2021514766.tif 000003
【図２】
2021514766.tif 000004
【図３】
2021514766.tif 000005
【図４】
2021514766.tif 000006
【図５】
2021514766.tif 000007
【図６Ａ】
2021514766.tif 000008
【図６Ｂ】
2021514766.tif 000009
【図６Ｃ】
2021514766.tif 000010
【図６Ｄ】
2021514766.tif 000011
【図７Ａ】
2021514766.tif 000012
【図７Ｂ】
2021514766.tif 000013
【図７Ｃ】
2021514766.tif 000014
【国際調査報告】
2021514766.tif 000015
2021514766.tif 000016
2021514766.tif 000017